(57)【要約】【課題】ソフトウエア等に大きな変更を加えることなく、シングルタスクＯＳのコンピュータを遠隔制御可能なシステムを提供する。【解決手段】シングルタスクＯＳのターゲットＰＣ１とマルチタスクＯＳの擬似ターゲットＰＣ２との間に、ターゲットＰＣ１の画像信号をマルチタスクＯＳにて処理可能な信号に変換する画像信号変換部６と、マルチタスクＯＳを使用したコンピュータにおけるキーボード入力信号をシングルタスクＯＳにて処理可能な信号に変換するキーボード信号変換部７とを有する擬似信号作成ツール４を接続する。擬似ターゲットＰＣ２はインターネット回線５を介してコントロールＰＣ３と接続される。擬似ターゲットＰＣ２にはターゲットＰＣ１の状態が再現され、コントロールＰＣ３により擬似ターゲットＰＣ２を介してターゲットＰＣ１を遠隔制御する。【選択図】図２
2005128881.tif 000002
【特許請求の範囲】
【請求項１】
シングルタスクオペレーティングシステムを使用した第１コンピュータと、
前記第１コンピュータに接続され、前記第１コンピュータの画像信号をマルチタスクオペレーティングシステムにて処理可能な信号に変換する画像信号変換手段と、
前記第１コンピュータに接続され、マルチタスクオペレーティングシステムを使用したコンピュータにおけるキーボード入力信号をシングルタスクオペレーティングシステムにて処理可能な信号に変換するキーボード信号変換手段と、
前記画像信号変換手段及び前記キーボード信号変換手段に接続され、マルチタスクオペレーティングシステムによって作動する第２コンピュータと、
前記第２コンピュータと接続され、マルチタスクオペレーティングシステムによって作動し、前記第２コンピュータを制御可能な第３コンピュータとを有することを特徴とするコンピュータ遠隔制御システム。
【請求項２】
請求項１記載のコンピュータ遠隔制御システムにおいて、前記第２コンピュータと前記第３コンピュータとの間はＬＡＮ回線又はインターネット回線にて接続されることを特徴とするコンピュータ遠隔制御システム。
【請求項３】
シングルタスクオペレーティングシステムを使用した第１コンピュータと、
前記第１コンピュータに接続され、前記第１コンピュータの画像信号をマルチタスクオペレーティングシステムにて処理可能な信号に変換する画像信号変換手段と、
前記第１コンピュータに接続され、マルチタスクオペレーティングシステムを使用したコンピュータにおけるキーボード入力信号をシングルタスクオペレーティングシステムにて処理可能な信号に変換するキーボード信号変換手段と、
マルチタスクオペレーティングシステムによって作動し、前記画像信号変換手段及び前記キーボード信号変換手段に接続され、前記第１コンピュータ上の画像が再現可能であると共に、前記第１コンピュータに対しキーボードによって指令信号を入力可能な第２コンピュータとを有することを特徴とするコンピュータ遠隔制御システム。
【請求項４】
請求項１〜３の何れか１項に記載のコンピュータ遠隔制御システムにおいて、前記画像信号変換手段は、第１コンピュータに接続されその画像信号をビデオ信号に変換するダウンスキャンコンバータと、前記ダウンスキャンコンバータから出力されるビデオ信号をデジタル化しマルチタスクオペレーティングシステムにて処理可能なグラフィックスデータに変換するビデオキャプチャーとを有することを特徴とするコンピュータ遠隔制御システム。
【請求項５】
シングルタスクオペレーティングシステムを使用したコンピュータの画像信号をマルチタスクオペレーティングシステムにて処理可能な信号に変換する画像信号変換手段と、
マルチタスクオペレーティングシステムを使用したコンピュータにおけるキーボード入力信号をシングルタスクオペレーティングシステムにて処理可能な信号に変換するキーボード信号変換手段とを有することを特徴とするコンピュータ信号変換装置。
【請求項６】
請求項５記載のコンピュータ信号変換装置において、前記画像信号変換手段は、シングルタスクオペレーティングシステムを使用したコンピュータに接続されその画像信号をビデオ信号に変換するダウンスキャンコンバータと、前記ダウンスキャンコンバータから出力されるビデオ信号をデジタル化しマルチタスクオペレーティングシステムにて処理可能なグラフィックスデータに変換するビデオキャプチャーとを有することを特徴とするコンピュータ信号変換装置。
【発明の詳細な説明】
【技術分野】
【０００１】
本発明は、コンピュータの遠隔制御技術に関し、特に、オペレーティングシステム（以下、ＯＳと略記する）としてMS-DOS等のシングルタスクＯＳを使用したコンピュータを、Windows（マイクロソフト社登録商標）等のマルチタスクＯＳ下で作動するコンピュータにて遠隔制御する技術に関する。
【背景技術】
【０００２】
近年では、工場等における各種製造設備の多くは、ＰＬＣ（プログラマブルコントローラ）やマイクロコンピュータ、パーソナルコンピュータ（以下、ＰＣと略記する）等によって制御されている。このような中、製造設備の制御系で使用されるＰＣには、そのＯＳとして従来よりMS-DOSが使用されている。現在、ＯＳはWindowsが主流となっているが、製造設備の償却期間は一般に長期なため、そこではMS-DOSを用いたいわゆるDOS/VＰＣが依然として多く使用されている。
【発明の開示】
【発明が解決しようとする課題】
【０００３】
ところが、MS-DOSはシングルタスクのＯＳであるため、ＬＡＮやインターネットと接続した状態で装置の制御を行うことができない。このため、現在、WindowsやLinux等のマルチタスクＯＳの下で普及しつつあるリモートメンテナンスを行うことができないという問題がある。リモートメンテナンスは、ＬＡＮやインターネット回線を使用して設備の制御系に直接アクセスし、設備が設置されている現地へ赴くことなくトラブル時の原因追及やソフトウエアの変更、定数の変更等を実施する技術である。通信技術の向上と共にこのリモートメンテナンスも近年急速に発展してきており、海外設備の遠隔修理などに活用され、修理時間や修理コストの大幅削減が図られている。
【０００４】
これに対し、DOS/VＰＣを使用した設備では、このようなリモートメンテナンスを行うことができないため、設備トラブルの際には現地スタッフにて修理を行うか、さもなくば現地に担当者を派遣して修理を行わざるを得ない。ＰＣのハードウエアやソフトウエアは専門性の高い技術ため、人材も少なく、また、人材育成も容易ではない。このため、設備のトラブルを現地スタッフにて修理するのは困難な場合が多く、結局、専門スタッフが現地に出張して修理等に対応しているのが現状である。
【０００５】
このような出張による修理対応は、交通費や滞在費がかかる上、スタッフの移動時間の間は当該設備を稼働できず、生産が停止状態が長引くという問題が生じる。特に、海外設備の場合には、ビザ取得など移動時間以外にも準備時間が必要となり、修理対応に時間がかかるという問題があった。また、海外の設備では、政情や治安、感染症などの問題により、現地にスタッフを派遣することが難しい場合もある。このため、旧来のDOS/VＰＣを使用した設備においてもリモートメンテナンスを実行可能なシステムの開発が望まれていた。
【０００６】
なお、現在では、DOS/VＰＣ上にインストールすることによりWindowsＰＣに対応可能なソフトウエアも存在する。しかしながら、これを利用するには各コンピュータに当該ソフトウエアをインストールする必要がある。通常、海外工場等では生産設備が複数台設置されていることが多く、各設備のDOS/VＰＣ全てにソフトウエアをインストールするには作業工数が嵩むと共に、その設定等にはやはり専門知識が必要となり、出張対応は免れない。
【０００７】
本発明の目的は、ソフトウエア等に大きな変更を加えることなく、シングルタスクＯＳのコンピュータを遠隔制御可能なシステムを提供し、もって、かかるコンピュータを使用した製造設備等のリモートメンテナンスを可能ならしめることにある。
【課題を解決するための手段】
【０００８】
本発明のコンピュータ遠隔制御システムは、シングルタスクオペレーティングシステムを使用した第１コンピュータと、前記第１コンピュータに接続され、前記第１コンピュータの画像信号をマルチタスクオペレーティングシステムにて処理可能な信号に変換する画像信号変換手段と、前記第１コンピュータに接続され、マルチタスクオペレーティングシステムを使用したコンピュータにおけるキーボード入力信号をシングルタスクオペレーティングシステムにて処理可能な信号に変換するキーボード信号変換手段と、前記画像信号変換手段及び前記キーボード信号変換手段に接続され、マルチタスクオペレーティングシステムによって作動する第２コンピュータと、前記第２コンピュータと接続され、マルチタスクオペレーティングシステムによって作動し、前記第２コンピュータを制御可能な第３コンピュータとを有することを特徴とする。
【０００９】
本発明にあっては、シングルタスクオペレーティングシステムを使用した第１コンピュータの画像信号がマルチタスクオペレーティングシステムにて処理可能な信号に変換されて第２コンピュータに入力される。また、第２コンピュータにおけるキーボード入力信号はシングルタスクオペレーティングシステムにて処理可能な信号に変換され、第１コンピュータに入力される。第２コンピュータはマルチタスクオペレーティングシステムによって作動する第３コンピュータにて制御され、これにより、第２コンピュータを介して、第３コンピュータによる第１コンピュータの遠隔制御が可能となる。
【００１０】
前記コンピュータ遠隔制御システムにおいて、前記第２コンピュータと前記第３コンピュータとの間をＬＡＮ回線又はインターネット回線にて接続するようにしても良い。これにより、例えば、海外の第１コンピュータを本国の第３コンピュータにて制御するなどの遠隔操作が可能となる。
【００１１】
本発明の他のコンピュータ遠隔制御システムは、シングルタスクオペレーティングシステムを使用した第１コンピュータと、前記第１コンピュータに接続され、前記第１コンピュータの画像信号をマルチタスクオペレーティングシステムにて処理可能な信号に変換する画像信号変換手段と、前記第１コンピュータに接続され、マルチタスクオペレーティングシステムを使用したコンピュータにおけるキーボード入力信号をシングルタスクオペレーティングシステムにて処理可能な信号に変換するキーボード信号変換手段と、マルチタスクオペレーティングシステムによって作動し、前記画像信号変換手段及び前記キーボード信号変換手段に接続され、前記第１コンピュータ上の画像が再現可能であると共に、前記第１コンピュータに対しキーボードによって指令信号を入力可能な第２コンピュータとを有することを特徴とする。
【００１２】
本発明にあっては、シングルタスクオペレーティングシステムを使用した第１コンピュータの画像信号がマルチタスクオペレーティングシステムにて処理可能な信号に変換され第２コンピュータ上で第１コンピュータの画像が再現される。また、第２コンピュータのキーボード入力信号はシングルタスクオペレーティングシステムにて処理可能な信号に変換され、第２コンピュータのキーボードによって第１コンピュータに対し指令入力が可能となる。従って、第１コンピュータの画像を見ながら、第２コンピュータにより第１コンピュータを制御でき、異なるオペレーティングシステムのコンピュータの遠隔制御が可能となる。
【００１３】
また、前記コンピュータ遠隔制御システムにおいて、前記画像信号変換手段に、第１コンピュータに接続されその画像信号をビデオ信号に変換するダウンスキャンコンバータと、前記ダウンスキャンコンバータから出力されるビデオ信号をデジタル化しマルチタスクオペレーティングシステムにて処理可能なグラフィックスデータに変換するビデオキャプチャーとを設けても良い。
【００１４】
一方、本発明のコンピュータ信号変換装置は、シングルタスクオペレーティングシステムを使用したコンピュータの画像信号をマルチタスクオペレーティングシステムにて処理可能な信号に変換する画像信号変換手段と、マルチタスクオペレーティングシステムを使用したコンピュータにおけるキーボード入力信号をシングルタスクオペレーティングシステムにて処理可能な信号に変換するキーボード信号変換手段とを有することを特徴とする。
【００１５】
本発明にあっては、シングルタスクオペレーティングシステムを使用したコンピュータの画像信号がマルチタスクオペレーティングシステムにて処理可能な信号に変換され、マルチタスクオペレーティングシステムを使用したコンピュータ上でシングルタスクオペレーティングシステムを使用したコンピュータの画像を再現できる。また、マルチタスクオペレーティングシステムのコンピュータのキーボード入力信号はシングルタスクオペレーティングシステムにて処理可能な信号に変換され、マルチタスクオペレーティングシステムのコンピュータのキーボードによってシングルタスクオペレーティングシステムのコンピュータに対し指令入力が可能となる。従って、シングルタスクオペレーティングシステムのコンピュータ上に表示される画像をマルチタスクオペレーティングシステムのコンピュータで確認しつつ、マルチタスクオペレーティングシステムのコンピュータによりシングルタスクオペレーティングシステムのコンピュータを制御できる。
【００１６】
前記コンピュータ信号変換装置において、前記画像信号変換手段に、シングルタスクオペレーティングシステムを使用したコンピュータに接続されその画像信号をビデオ信号に変換するダウンスキャンコンバータと、前記ダウンスキャンコンバータから出力されるビデオ信号をデジタル化しマルチタスクオペレーティングシステムにて処理可能なグラフィックスデータに変換するビデオキャプチャーとを設けても良い。
【発明の効果】
【００１７】
本発明のコンピュータ遠隔制御システムによれば、シングルタスクオペレーティングシステムを使用した第１コンピュータとマルチタスクオペレーティングシステムを使用した第２コンピュータとの間に、第１コンピュータの画像信号をマルチタスクオペレーティングシステムにて処理可能な信号に変換する画像信号変換手段と、第２コンピュータにおけるキーボード入力信号をシングルタスクオペレーティングシステムにて処理可能な信号に変換するキーボード信号変換手段とを設けたので、第２コンピュータと接続されたマルチタスクオペレーティングシステムによって作動する第３コンピュータによって、第２コンピュータを介して第１コンピュータを制御することが可能となる。
【００１８】
従って、第１コンピュータとはオペレーティングシステムを異にする第３コンピュータによる遠隔制御が可能となり、例えば、遠隔地に存在する第１コンピュータを使用する生産設備等についても、本国など適当な場所にてリモートメンテナンスを行うことができる。このため、現地へ出向くことなく設備のメンテナンスを行うことができ、交通費や滞在費が削減されると共に、設備修復に要する時間を大幅に短縮し迅速なトラブル対応が可能となる。また、設備の改善や改造を行うことなく、必要に応じて適宜画像信号変換手段とキーボード信号変換手段と付加することにより設備のメンテナンスを行うことができ、少ない投資費用で経済的にリモートメンテナンスを実施できる。
【００１９】
本発明の他のコンピュータ遠隔制御システムによれば、シングルタスクオペレーティングシステムを使用した第１コンピュータとマルチタスクオペレーティングシステムを使用した第２コンピュータとの間に、第１コンピュータの画像信号をマルチタスクオペレーティングシステムにて処理可能な信号に変換する画像信号変換手段と、第２コンピュータにおけるキーボード入力信号をシングルタスクオペレーティングシステムにて処理可能な信号に変換するキーボード信号変換手段とを設けたので、第２コンピュータ上にて第１コンピュータ上の画像を再現できると共に、第１コンピュータに対し第２コンピュータのキーボードによって指令信号を入力することが可能となる。
【００２０】
従って、第１コンピュータとはオペレーティングシステムを異にする第２コンピュータによる制御が可能となり、第１コンピュータを使用する生産設備等についても、第２コンピュータによるリモートメンテナンスが可能となる。このため、設備の改善や改造を行うことなく、必要に応じて適宜画像信号変換手段とキーボード信号変換手段と付加することにより設備のメンテナンスを行うことができ、少ない投資費用で経済的にリモートメンテナンスを実施できる。
【００２１】
本発明のコンピュータ信号変換装置によれば、シングルタスクオペレーティングシステムを使用したコンピュータの画像信号をマルチタスクオペレーティングシステムにて処理可能な信号に変換する画像信号変換手段と、マルチタスクオペレーティングシステムを使用したコンピュータにおけるキーボード入力信号をシングルタスクオペレーティングシステムにて処理可能な信号に変換するキーボード信号変換手段とを備えることにより、マルチタスクオペレーティングシステムを使用したコンピュータ上でシングルタスクオペレーティングシステムを使用したコンピュータの画像を再現できる。また、マルチタスクオペレーティングシステムのコンピュータのキーボードによってシングルタスクオペレーティングシステムのコンピュータに対し指令入力が可能となる。従って、シングルタスクオペレーティングシステムのコンピュータ上に表示される画像をマルチタスクオペレーティングシステムのコンピュータで確認しつつ、マルチタスクオペレーティングシステムのコンピュータによりシングルタスクオペレーティングシステムのコンピュータを制御することが可能となる。
【発明を実施するための最良の形態】
【００２２】
以下、本発明の実施例を図面に基づいて詳細に説明する。図１は本発明によるコンピュータ遠隔制御システムの概要を示す説明図、図２は図１のシステムの詳細を示す説明図である。図１に示すように、当該システムは、ＯＳとしてMS-DOSを用いたDOS/VのターゲットＰＣ（第１コンピュータ）１と、ＯＳとしてWindowsを用いた擬似ターゲットＰＣ（第２コンピュータ）２及びコントロールＰＣ（第３コンピュータ）３を備えた構成となっている。ターゲットＰＣ１と擬似ターゲットＰＣ２との間には擬似信号作成ツール４が設けられ、擬似ターゲットＰＣ２とコントロールＰＣ３との間はインターネット回線５にて接続されている。
【００２３】
ターゲットＰＣ１は、例えば海外工場の生産設備の制御に使用され、生産設備に付属して配置される。擬似信号作成ツール４及び擬似ターゲットＰＣ２はターゲットＰＣ１に付属して設置され、ターゲットＰＣ１が海外に配置される場合にはそれらも海外に配置される。海外拠点に生産設備が複数個ありターゲットＰＣ１が複数台存在する場合も、それらを１つの擬似信号作成ツール４にて対応可能であるが、各設備ごとに擬似信号作成ツール４を設けて対応することも可能である。一方、コントロールＰＣ３は本国（例えば、日本）に設置され、前述のように、インターネット回線５によって擬似ターゲットＰＣ２と接続される。コントロールＰＣ３は複数台設置することが可能である。
【００２４】
擬似信号作成ツール４は、ターゲットＰＣ１の状態を擬似ターゲットＰＣ２上に再現させるための装置であり、そこには画像信号変換部（画像信号変換手段）６とキーボード信号変換部（キーボード信号変換手段）７が設けられている。画像信号変換部６は、MS-DOSを使用したターゲットＰＣ１の画像信号をWindowsにて処理可能な画像信号に変換する。キーボード信号変換部７は、擬似ターゲットＰＣ２のキーボード入力信号をMS-DOSを使用したターゲットＰＣ１にて処理可能な信号に変換する。
【００２５】
図２に示すように、画像信号変換部６には、ダウンスキャンコンバータ１１とビデオキャプチャー１２が設けられている。ダウンスキャンコンバータ１１は、ターゲットＰＣ１に接続され、その画像信号（ＶＧＡ信号）をビデオ信号に変換する。ビデオキャプチャー１２は、ダウンスキャンコンバータ１１から出力されるビデオ信号をデジタル化し、Windowsにて処理可能なグラフィックスデータに変換する。ビデオキャプチャー１２はＵＳＢハブ１３を介して擬似ターゲットＰＣ２と接続され、デジタル化されたビデオ信号はＵＳＢインターフェースによって擬似ターゲットＰＣ２に入力される。
【００２６】
キーボード信号変換部７には、RS-232C/USB変換器１４とキーコンバータ１５が設けられている。RS-232C/USB変換器１４はＵＳＢハブ１３に接続され、擬似ターゲットＰＣ２のキーボード信号がＵＳＢインターフェースによって入力される。RS-232C/USB変換器１４では、入力されたＵＳＢインターフェースの信号をＲＳ−２３２Ｃインターフェースの信号に変換する。なお、ＵＳＢはUniversal Serial Bus、ＲＳ−２３２ＣはRecommended Standard-232Cの略である。
【００２７】
キーコンバータ１５は、RS-232C/USB変換器１４によってＲＳ−２３２Ｃインターフェース信号に変換されたWindowsＰＣのキーボード入力信号をDOS/VＰＣの対応キーボード信号に変換する。例えば、擬似ターゲットＰＣ２（WindowsＰＣ）のキーボードで「Ａ」と入力すると、キーコンバータ１５は、これをDOS/VＰＣにおける「Ａ」というキーボード入力信号に変換する。キーコンバータ１５にて変換された信号はターゲットＰＣ１に入力される。
【００２８】
このようなシステムにおいては、ターゲットＰＣ１のモニタ１６に映し出されている画像は、画像信号変換部６によって読み取られた上でデジタルビデオ信号に変換され、擬似ターゲットＰＣ２に入力される。擬似ターゲットＰＣ２では、その画像をモニタ１８に表示する。一方、擬似ターゲットＰＣ２のキーボード１９での操作は、キーボード信号変換部７によってDOS/VＰＣの対応キーボード信号に変換され、ターゲットＰＣ１に入力される。すなわち、擬似ターゲットＰＣ２にはターゲットＰＣ１の状態が再現され、擬似ターゲットＰＣ２のキーボード１９を操作することにより、あたかもターゲットＰＣ１のキーボード１７を操作したかの如き処理が行われる。
【００２９】
一方、擬似ターゲットＰＣ２には、インターネット回線５を介してコントロールＰＣ３等の他のＰＣがアクセス可能である。擬似ターゲットＰＣ２及びコントロールＰＣ３には、予めPc AnywhereやNet Meeting（何れも商品名）等のリモートコントロールソフトウエアがインストールされており、コントロールＰＣによって擬似ターゲットＰＣ２を遠隔操作することができる。これにより、擬似ターゲットＰＣ２を介して間接的にターゲットＰＣ１をコントロールＰＣ３にて制御することが可能となる。
【００３０】
なお、コントロールＰＣ３に擬似ターゲットＰＣ２の状態を再現することもできる。すなわち、コントロールＰＣ３のモニタ２１にもターゲットＰＣ１のモニタ１６と同様の画像を表示できると共に、コントロールＰＣ３のキーボード２２によりターゲットＰＣ１を操作することも可能である。
【００３１】
そこで、例えば、通常時や簡単な障害の場合には、コントロールＰＣ３を用いてターゲットＰＣ１に予めインストールされているチェックプログラムなどを遠隔操作する。これにより、ターゲットＰＣ１のチェックプログラムが作動し、設備のメンテナンスやトラブルシューティングが行われ、その結果もまたコントロールＰＣ３上に表示される。設備上のトラブルに関しても、コントロールＰＣ３を用いてターゲットＰＣ１上のデバッグソフトウエアを起動してその検証や解析を行い、その結果に応じて適宜ターゲットＰＣ１を制御することができる。
【００３２】
このように当該システムによれば、擬似信号作成ツール４を例えば海外の生産拠点に配置することにより、そこにあるターゲットＰＣ１を本国のコントロールＰＣ３を用いて適宜制御することが可能となる。従って、遠隔地に存在するDOS/V仕様の生産設備についても、本国など適当な場所にてリモートメンテナンスを行うことができる。このため、現地へ出向くことなく設備のメンテナンスを行うことができ、交通費や滞在費が削減されると共に、設備修復に要する時間を大幅に短縮し迅速なトラブル対応が可能となる。また、リモートメンテナンスの実現に際し、設備の改善や改造は不要であり、必要に応じて適宜擬似信号作成ツール４を付加して使用する方式であるため、投資費用も少なく経済的である。
【００３３】
さらに、当該システムでは、擬似信号作成ツール４を１台設置すればその拠点に属する全てのDOS/V仕様の生産設備に対応することができる。従って、ソフトウエアと異なり各ＰＣへのインストール作業が不要であり、単に配線の接続のみにてリモートメンテナンスが可能となる。このため、現地スタッフによる対応も可能であり、設定のための出張も省くことが可能となる。
【００３４】
本発明は前記実施例に限定されるものではなく、その要旨を逸脱しない範囲で種々変更可能であることは言うまでもない。
例えば、前述の実施例では、海外設備のターゲットＰＣ１を本国のコントロールＰＣ３を用いて制御する例を示したが、国内設備のターゲットＰＣ１を制御する形態であっても良い。また、インターネット回線に代えてＬＡＮ回線を用いて擬似ターゲットＰＣ２とコントロールＰＣ３を接続しても良い。さらに、擬似ターゲットＰＣ２は必ずしもターゲットＰＣ１に近接して配置する必要はなく、両者は距離的に離れていても問題はない。但し、その場合も擬似信号作成ツール４と擬似ターゲットＰＣ２との間は直接的な１対１対応の配線となる。
【００３５】
加えて、擬似ターゲットＰＣ２やコントロールＰＣ３のＯＳはWindowsには限定されず、インターネットやＬＡＮに接続可能なマルチタスクＯＳであれば、Linuxやトロンなどでも良い。また、擬似ターゲットＰＣ２とコントロールＰＣ３のＯＳは同一でなくとも良い。なお、ターゲットＰＣ１としてマルチタスクＯＳを使用している場合においても本システムは有効である。この場合、ターゲットＰＣ１は、擬似信号作成ツール４や擬似ターゲットＰＣ２を介することなく、コントロールＰＣ３と直接接続することも可能である。また、ターゲットＰＣ１として、シングルタスクＯＳのものとマルチタスクＯＳものとが混在している場合にも本システムは適用可能である。
【００３６】
一方、擬似ターゲットＰＣ２には必ずしもモニタやキーボードは必要なく、サーバーのような形でそれを設置することも可能である。また、擬似ターゲットＰＣ２にてターゲットＰＣ１を制御することも可能であり、コントロールＰＣ３を省き擬似ターゲットＰＣ２のみにてターゲットＰＣ１を制御することも可能である。さらに、擬似信号作成ツール４と擬似ターゲットＰＣ２との間の接続に際してのインターフェースはＵＳＢには限られず、画像信号とキーボード信号を異なるインターフェースを用いて送受信しても良い。例えば、画像信号にはIEEE1394を使用し、キーボード信号はRS-232Cを使用する形態も採用し得る。
【図面の簡単な説明】
【００３７】
【図１】本発明によるコンピュータ遠隔制御システムの概要を示す説明図である。
【図２】図１のシステムの詳細を示す説明図である。
【符号の説明】
【００３８】
１    ターゲットＰＣ（第１コンピュータ）
２    擬似ターゲットＰＣ（第２コンピュータ）
３    コントロールＰＣ（第３コンピュータ）
４    擬似信号作成ツール
５    インターネット回線
６    画像信号変換部（画像信号変換手段）
７    キーボード信号変換部（キーボード信号変換手段）
１１    ダウンスキャンコンバータ
１２    ビデオキャプチャー
１３    ＵＳＢハブ
１４    RS-232C/USB変換器
１５    キーコンバータ
１６    モニタ
１７    キーボード
１８    モニタ
１９    キーボード
２１    モニタ
２２    キーボード
【図１】
2005128881.tif 000003
【図２】
2005128881.tif 000004